(57)【要約】【課題】効率のよい証明書の発行を行い、かつ偽造証明書の発生を抑える証明書発行システムを提供する。【解決手段】個人情報を入力する入力端末と、前記入力端末より入力された個人情報を記憶するデータベースと、個人情報を含む証明書を発行する複数の証明書発行端末機と、をネットワークを介して接続した証明書発行システムであって、前記個人情報はネットワークを介して送受信が行われ、前記証明書発行端末機は前記証明書に偽造防止手段を設ける偽造防止形成手段を少なくとも２種以上有することを特徴とする証明書発行システム。【選択図】        なし【特許請求の範囲】
【請求項１】
個人情報を入力する入力端末と、
前記入力端末より入力された個人情報を記憶するデータベースと、
個人情報を含む証明書を発行する複数の証明書発行端末機と、
をネットワークを介して接続した証明書発行システムであって、
前記個人情報はネットワークを介して送受信が行われ、
前記証明書発行端末機は前記証明書に偽造防止手段を設ける偽造防止手段形成部を少なくとも２種以上有することを特徴とする証明書発行システム。
【請求項２】
前記個人情報には顔画像情報が含まれることを特徴とする請求項１に記載の証明書発行システム。
【請求項３】
前記偽造防止手段は、マイクロ文字、金属光沢インク、色相変化インク、ホログラム、蛍光インク、彩紋、透かしのいずれかであることを特徴とする請求項１又は２に記載の証明書発行システム。
【請求項４】
前記証明書発行端末機は前記証明書に少なくとも２種以上の個人認証手段を設ける個人認証手段形成部を有することを特徴とする請求項１〜３のいずれか１項に記載の証明書発行システム。
【請求項５】
前記個人認証手段は、顔画像、ＩＣ記録、磁気記録、バーコードのいずれかであることを特徴とする請求項４に記載の証明書発行システム。
【請求項６】
個人情報を含む証明書を発行する証明書発行端末機の少なくとも２つ以上をネットワークを介して接続した証明書発行システムであって、
前記証明書発行端末機は、個人情報を入力する入力部と、該入力部より入力された個人情報を記憶する個人情報記憶部と、を有し、
前記証明書発行端末機の各々の個人情報記憶部に記憶された個人情報はネットワークを介して送受信が行われ、
前記証明書発行端末機は前記証明書に偽造防止手段を設ける偽造防止手段形成部を少なくとも２種以上有することを特徴とする証明書発行システム。
【請求項７】
前記個人情報には顔画像情報が含まれることを特徴とする請求項６に記載の証明書発行システム。
【請求項８】
前記偽造防止手段は、マイクロ文字、金属光沢インク、色相変化インク、ホログラム、蛍光インク、彩紋、透かしのいずれかであることを特徴とする請求項６又は７に記載の証明書発行システム。
【請求項９】
前記証明書発行端末機は前記証明書に少なくとも２種以上の個人認証手段を設ける個人認証手段形成部を有することを特徴とする請求項６〜８のいずれか１項に記載の証明書発行システム。
【請求項１０】
前記個人認証手段は、顔画像、ＩＣ記録、磁気記録、バーコードのいずれかであることを特徴とする請求項９に記載の証明書発行システム。
【発明の詳細な説明】
【０００１】
【発明の属する技術分野】
本発明は、ネットワークを介して複数の場所で証明書を発行することができる証明書発行システムに関する。
【０００２】
【従来の技術】
例えば、運転許可免許証、検定証、住民票、印鑑証明書、戸籍謄本、所得証明書等の各種証明書については、多数の人間がこれらの証明書の発行を行うことから、証明書を発行する場所を、例えば市町村役場や、駅、公民館の出張所等の様々な場所に証明書を発行する端末を設けることで証明書の発行を効率よく行い、証明書を発行する際の混雑や、証明書を発行する者がわざわざ遠方の証明書発行場所まで出向くという不便さを解消している（例えば特許文献１参照）。
【０００３】
【特許文献１】
特開２００１−８４２９０号公報
【０００４】
【発明が解決しようとする課題】
しかしながら、このように複数の証明書発行端末機を設けていくことにより、個々の証明書を発行する発行端末機の管理体制が不十分になるという課題を有している。
【０００５】
従って、例えば管理体制の不十分である証明書発行端末機の一つが盗難された場合に、その証明書発行端末機の発行部分のメカニズム等が解析され、後に証明書が偽造され広範囲にわたり使用されるという事態を招くおそれがある。
【０００６】
また、証明書の発行はそれぞれの組織単位（行政体や公共機関単位）で管理が行われることが多いため、証明書が発行される組織間での混入や、相互地域、組織間の偽造証明書の流用を防止しなければならないという課題もある。
【０００７】
本発明はかかる課題に鑑みてなされたものであり、本発明の目的は、効率のよい証明書の発行を行い、かつ偽造証明書の発生を抑える証明書発行システムを提供することである。
【０００８】
また、本発明の目的は、証明書を発行する組織間での偽造証明書の流用を防止する証明書発行システムを提供することである。
【０００９】
【課題を解決するための手段】
本発明の上記目的は下記構成により達成された。
【００１０】
（１）  個人情報を入力する入力端末と、前記入力端末より入力された個人情報を記憶するデータベースと、個人情報を含む証明書を発行する複数の証明書発行端末機と、をネットワークを介して接続した証明書発行システムであって、
前記個人情報はネットワークを介して送受信が行われ、前記証明書発行端末機は前記証明書に偽造防止手段を設ける偽造防止手段形成部を少なくとも２種以上有することを特徴とする証明書発行システム。
【００１１】
（２）  前記個人情報には顔画像情報が含まれることを特徴とする（１）に記載の証明書発行システム。
【００１２】
（３）  前記偽造防止手段は、マイクロ文字、金属光沢インク、色相変化インク、ホログラム、蛍光インク、彩紋、透かしのいずれかであることを特徴とする（１）又は（２）に記載の証明書発行システム。
【００１３】
（４）  前記証明書発行端末機は前記証明書に少なくとも２種以上の個人認証手段を設ける個人認証手段形成部を有することを特徴とする（１）〜（３）のいずれか１項に記載の証明書発行システム。
【００１４】
（５）  前記個人認証手段は、顔画像、ＩＣ記録、磁気記録、バーコードのいずれかであることを特徴とする（４）に記載の証明書発行システム。
【００１５】
（６）  個人情報を含む証明書を発行する証明書発行端末機の少なくとも２つ以上をネットワークを介して接続した証明書発行システムであって、前記証明書発行端末機は、個人情報を入力する入力部と、該入力部より入力された個人情報を記憶する個人情報記憶部と、を有し、前記証明書発行端末機の各々の個人情報記憶部に記憶された個人情報はネットワークを介して送受信が行われ、前記証明書発行端末機は前記証明書に偽造防止手段を設ける偽造防止手段形成部を少なくとも２種以上有することを特徴とする証明書発行システム。
【００１６】
（７）  前記個人情報には顔画像情報が含まれることを特徴とする（６）に記載の証明書発行システム。
【００１７】
（８）  前記偽造防止手段は、マイクロ文字、金属光沢インク、色相変化インク、ホログラム、蛍光インク、彩紋、透かしのいずれかであることを特徴とする（６）又は（７）に記載の証明書発行システム。
【００１８】
（９）  前記証明書発行端末機は前記証明書に少なくとも２種以上の個人認証手段を設ける個人認証手段形成部を有することを特徴とする（６）〜（８）のいずれか１項に記載の証明書発行システム。
【００１９】
（１０）  前記個人認証手段は、顔画像、ＩＣ記録、磁気記録、バーコードのいずれかであることを特徴とする（９）に記載の証明書発行システム。
【００２０】
【発明の実施の形態】
本発明について、以下にその実施の形態を図を用いて説明するが、本発明はこれに限定されない。また、以下の説明には用語等に対する断定的な表現が含まれている場合があるが、本発明の好ましい例を示すものであって、本発明の用語の意義や技術的な範囲を限定するものではない。
【００２１】
図１は本発明の証明書発行システムの一例を示す概略構成を示すブロック図である。
【００２２】
図１に示す証明書発行システムは、入力端末１と、データベース２と、複数の証明書発行端末機３が公衆回線網等を用いたＷＡＮ又はインターネット等のネットワーク４を介して接続されている。
【００２３】
入力端末１は本発明に係る入力端末であり、データベース２は本発明に係るデータベースである。図１に示す証明書発行システムでは、入力端末１より入力された個人情報は、ネットワーク４を介してデータベース２に記憶されていくようになっている。個人情報には例えば顔画像情報等が含まれる。
【００２４】
証明書発行端末機３は、本発明に係る証明書発行端末機である。証明書発行端末機３は、証明書発行部３１を有しており、証明書発行部３１は、本発明に係る偽造防止手段形成部である偽造防止手段形成部３２、偽造防止手段形成部３３と、本発明に係る個人認証手段形成部である個人認証手段形成部３４、個人認証手段形成部３５を有している。
【００２５】
証明書を発行したい者は、証明書発行システムのいずれかの証明書発行端末機３から、例えば個人情報の入力時に関連づけたＩＤ番号、パスワードや、住民基本台帳番号、生年月日等の本人であることを識別することができる情報を、図示しない入力部等から入力することで、ネットワーク４を介してデータベース２にアクセスし、データベース２から個人情報を取得する。
【００２６】
さらに、証明書を発行したい者は、取得した個人情報を用いて証明書発行端末機３の証明書発行部３１にて証明書を発行する。このときに、証明書発行部３１の偽造防止手段形成部３２、３３によって、証明書に異なる２種類の偽造防止手段が形成される。また、証明書発行部３１の個人認証手段形成部３４，３５によって、証明書に２種類の個人認証手段が形成される。
【００２７】
本発明の証明書発行システムの証明書発行端末機は、ネットワークを介して個人情報を送受信し、かつ、証明書に偽造防止手段を設けることができる偽造防止手段形成部を少なくとも２種以上有することで、効率的な証明書発行と、偽造証明書の発生を効果的に防止することを両立することができる。
【００２８】
即ち、本発明のように、証明書発行端末機に複数種の偽造防止手段形成部を設けるようにしておくことで、例えば、各証明書発行端末機を偽造発行手段形成部の組み合わせによって偽造防止手段を個々に異ならせることができるようになる。偽造防止手段の種類には例えば、マイクロ文字、金属光沢インク、色相変化インク、ホログラム、蛍光インク、彩紋、透かし等、様々な種類の偽造防止手段があるが、偽造防止手段の種類自体には限りがある。従って、証明書発行システムの証明書発行端末機の数が偽造防止手段の種類以上となった場合には、同じ偽造防止手段形成部を有する証明書発行端末機が存在してしまうことになる。しかし、本発明のように、証明書発行端末機に複数種の偽造防止手段形成部を設けるようにすることで、証明書発行システムの個々の証明書発行端末機に設けられている偽造防止手段形成部の組み合わせをすべて異ならせておくことが可能となる。
【００２９】
この場合、例えば証明書発行システムのうちの一つの証明書発行端末機が盗難に遭ったとしても、他の証明書発行端末に設けられている偽造防止手段形成部の組み合わせは盗難された証明書発行端末機の偽造防止手段の組み合わせとは異なることになる。従って、盗難された証明書発行端末機が分解されメカニズムが解析されて偽造の証明書が作成されたとしても、盗難された証明書発行端末機の偽造防止手段形成部の組み合わせを有する証明書の使用を一時的に停止する手段をとることで、最小限の被害で偽造された証明書の使用を停止することができる。
【００３０】
偽造防止手段としては、従来公知の偽造防止手段を用いることができるが、本発明においては、マイクロ文字、金属光沢インク、色相変化インク、ホログラム、蛍光インク、彩紋、透かしを用いるのが好ましい。
【００３１】
マイクロ文字は、複写機の複写限界程度の大きさのマイクロ文字を印刷しておくことで偽造を防止する偽造防止手段である。
【００３２】
金属光沢インクは、印刷物に金属粉顔料等を含有する金属光沢インクを用いることで、複写機で複写した場合に正しく複写されなくなるようにする偽造防止手段である。
【００３３】
色相変化インクは、目視によって真偽判定をするべく、見る角度によって色相が変わる特殊インクをもって印刷を行うことで偽造を防止する偽造防止手段である。
【００３４】
ホログラムは、ホログラム画像よりなる特定情報パターンに対して、特定波長の光を特定角度から照射した際に再生される特定情報パターンで確認を行うことで偽造を防止する偽造防止手段である。
【００３５】
蛍光インクは、蛍光性物質を含有するインクを用いることで、可視光線下においては肉眼で認識されず、紫外線照射下において肉眼で認識されるようにする偽造防止手段である。
【００３６】
彩紋は、模倣が難しい複雑な絵柄をデザインに取り入れることにより、偽造を防止する偽造防止手段である。
【００３７】
透かしは、透かし模様を付与することで偽造を防止する偽造防止手段である。
本発明の証明書発行システムの証明書発行端末機は、証明書に２種以上の個人認証手段を設けることができるのが好ましい。これにより、組織間での混入を防止することができる。
【００３８】
個人認証手段としては、従来公知の個人認証手段を用いることができるが、本発明においては、好ましくは、顔画像、ＩＣ記録、磁気記録、バーコードが挙げられる。なお、個人情報に顔画像情報が含まれる場合には、証明書に顔画像を印刷することで個人認証手段とすることができる。
【００３９】
図２は、本発明の証明書発行システムの他の例を示す概略構成を示すブロック図である。尚、図２以降の説明においては、図１の説明で説明された用語と同じものの説明及びそれに関連する説明について省略されている場合があるが、特に説明がない限りは図１の説明と同じである。
【００４０】
図２に示す証明書発行システムも、入力端末１と、データベース２と、複数の証明書発行端末機３が公衆回線網等を用いたＷＡＮ又はインターネット等のネットワーク４を介して接続されている。
【００４１】
図２の証明書発行システムでは、証明書発行端末機３の証明書発行部３１は、本発明に係る偽造防止手段形成部であり、偽造防止手段形成部３２、偽造防止手段形成部３３、偽造防止手段形成部３６、偽造防止手段形成部３７を有し、さらに、個人認証手段形成部３４、個人認証手段形成部３５を有している。また、複数の証明書発行端末機３は、例えば地方行政体である発行組織Ａと発行組織Ｂのいずれかに属する形態をとっている。
【００４２】
このとき、発行組織Ａの証明書発行端末機３では、偽造防止手段形成部３２、偽造防止手段形成部３３を用いて証明書５Ａに偽造防止手段５２、偽造防止手段５３を形成し、発行組織Ｂの証明書発行端末機３では、偽造防止手段形成部３６、偽造防止手段形成部３７を用いて証明書５Ｂに偽造防止手段５６、偽造防止手段５７を形成するようにしている。
【００４３】
本発明の証明書発行システムは、予め証明書発行端末機３が偽造防止手段形成部を複数有しているので、このように発行組織Ａ、発行組織Ｂのような組織間で証明書にそれぞれ異なる偽造防止手段を設けるようにすることが可能となることから、偽造証明書が流用したような場合でも偽造証明書の発見を容易とすることができる。
【００４４】
また、証明書発行端末機３に複数の偽造防止形成手段を設けておくことで、例えば、証明書５Ａの偽造証明書が流用してしまったような場合には、発行組織Ａの証明書発行端末機３で使用している偽造防止手段形成部３２、３３を偽造防止形成手段形成部３６、３７に切り替えることで偽造証明書の流用を直ちに防止することもできる。
【００４５】
また、証明書５Ａ、５Ｂには、証明書発行端末３の個人認証手段形成部３４、３５によって、個人認証手段として顔写真５４とバーコード５５が形成されている。
【００４６】
図３は本発明の証明書発行システムのその他の例を示す概略構成を示すブロック図である。
【００４７】
図３に示す証明書発行システムは、複数の証明書発行端末機３が公衆回線網等を用いたＷＡＮ又はインターネット等のネットワーク４を介して接続されているものである。
【００４８】
証明書発行端末機３は、証明書発行部３１、入力部３６、個人情報記憶部３７を有しており、証明書発行部３１は、偽造防止手段形成部３２、偽造防止手段形成部３３、個人認証手段形成部３４、個人認証手段形成部３５を有している。
【００４９】
証明書発行端末機３の入力部３６は、本発明に係る入力部であり、入力部３６より個人情報が入力される。入力部３６より入力された個人情報は、本発明に係る個人情報記憶部である個人情報記憶部３７に記憶される。
【００５０】
個人情報部３７に記憶された個人情報は、ネットワーク４を介して他の証明書発光端末機３に送受信が行われるようになっている。このようにすることで、証明書発行端末機３いずれかから入力された個人情報を、ネットワークを介して接続される証明書発行端末機３すべてで共有化することができるようになり、効率的な証明書発行を行うことができる。
【００５１】
証明書を発行したい者は、ネットワーク４に接続されるいずれかの証明書発行端末機３から、例えば個人情報の入力時に関連づけたＩＤ番号、パスワードや、住民基本台帳番号、生年月日等の本人であることを識別することができる情報を、入力部３６等から入力することで、ネットワーク４で接続されている証明書発行端末機３の個人情報部３７のいずれかから個人情報を取得する。
【００５２】
さらに、証明書を発行したい者は、取得した個人情報を用いて証明書発行端末３の証明書発行部３１にて証明書を発行する。このときに、証明書発行部３１の偽造防止手段形成部３２、３３によって、証明書に異なる２種類の偽造防止手段が形成される。また、証明書発行部３１の個人認証手段形成部３４、３５によって、証明書に２種類の個人認証手段が形成される。
【００５３】
【発明の効果】
本発明により、効率のよい証明書の発行を行い、かつ偽造証明書の発生を抑える証明書発行システムを提供することができた。
【００５４】
また、証明書を発行する組織間での偽造証明書の流用を防止する証明書発行システムを提供することができた。
【図面の簡単な説明】
【図１】本発明の証明書発行システムの一例を示す概略構成を示すブロック図である。
【図２】本発明の証明書発行システムのその他の例を示す概略構成を示すブロック図である。
【図３】本発明の証明書発行システムのその他の例を示す概略構成を示すブロック図である。
【符号の説明】
１  入力端末
２  データベース
３  証明書発行端末機
４  ネットワーク
【図１】
2005043947.tif 000002
【図２】
2005043947.tif 000003
【図３】
2005043947.tif 000004